(57)【特許請求の範囲】
【請求項１】
ランダムアクセスが可能な記録媒体と、
ビデオ信号を受信する受信手段と、
上記受信手段により受信しているビデオ信号を上記記録媒体に記録する記録手段と、
上記記録媒体に記録されたビデオ信号を再生する再生手段と、
上記受信手段により受信しているビデオ信号に基づき映像を表示装置に表示させる表示制御手段と、
上記表示装置により表示されている映像を見ていた時間毎の人数を検知するセンサ手段と、
情報内容の所定の単位の放送が終了した時に、上記センサ手段により検知された情報に基づき視聴者がその情報内容の所定の単位を見ていたか否かを判断し、視聴者がその情報内容の所定の単位を見ていたと判断した場合には、その情報内容の所定の単位に関するビデオ信号を上記記録媒体から消去する制御手段と
を備える記録再生装置。
【請求項２】
上記センサ手段は、情報内容の所定の単位の出力が行われている間に、視聴している人数の増減した場合、視聴している人数とその時間を検知すること
を特徴とする請求項１に記載の記録再生装置。
【請求項３】
上記情報内容の所定の単位とは、番組であること
を特徴とする請求項１に記載の記録再生装置。
【請求項４】
上記制御手段は、視聴者がリアルタイムでその情報内容の所定の単位を見ていたとも見ていないとも判断しなかった場合には、上記表示制御手段は、上記ビデオ信号を消去するか保存するかを確認する画面を表示させることを特徴とする請求項１に記載の記録再生装置。
【請求項５】
上記記録媒体は、ハードディスクであることを特徴とする請求項１に記載の記録再生装置。
【請求項６】
上記記録媒体は、光ディスクであることを特徴とする請求項１に記載の記録再生装置。
【請求項７】
放送されているビデオ信号を受信し、
受信しているビデオ信号をランダムアクセスが可能な記録媒体に記録するとともに、受信しているビデオ信号に基づく映像を表示装置に表示し、
上記表示装置が表示している映像を見ていた時間毎の人数を検知するセンサを用いて、時間毎に視聴者を検知し、
情報内容の所定の単位の放送が終了したときに、センサにより検知された情報を用いて視聴者がその情報内容の所定の単位を見ていたか否かを判断し、視聴者がその情報内容の所定の単位を見ていたと判断した場合には、その情報内容の所定の単位に関するビデオ信号を上記記録媒体から消去すること
を特徴とする記録再生方法。
【発明の詳細な説明】
【０００１】
【発明の属する技術分野】
本発明は、ビデオ信号を記録再生する記録再生装置に関し、特にランダムアクセス可能な記録媒体を用いる記録再生装置に関する。
【０００２】
【従来の技術】
テレビジョン放送等により供給される映像，音声，データ等を記録する場合、一般にビデオテープに録画をしているが、近年画像圧縮等の技術の進歩によりビデオテープの替わりに、ハードディスク等のランダムアクセスが可能な記録媒体に記録する記録再生装置を利用することが考えられるようになっている。ビデオテープの替わりにハードディスクを用いることにより、例えばビデオテープの巻き戻しや早送り等の時間が必要なくなる。また、希望の番組がどこに記録されているか探す手間がいらない。
【０００３】
また、テレビジョン放送として放送される映像等を予め１日分すべてハードディスク等に記録しておいて、後から希望の番組のみを選択して見ることも考えられる。このようにテレビジョン放送を１日分すべてハードディスク等に記録しておいて後から希望の番組のみを選択して見ることにより、例えば、記録再生装置の視聴者が記録容量の残り時間を気にしなくても済む。また、録画操作を誤った場合や番組延長により放送時間がずれた場合などを想定せず記録ができる。
【０００４】
【発明が解決しようとする課題】
ところが、記録再生装置のハードディスクの容量が１日分の放送の記録容量のみしかない場合、再生した番組はすぐに消去しなければならない。そのため、例えば、再生中に電話に出ていた等の事情により、再生はしているが実際には見ていない番組も消去されてしまうといった問題が生じる。
【０００５】
また、複数人で番組を見始めた場合、その全員が番組すべてを最後まで見ていたとは限らない。そのため、一部の者は番組すべてを見ていたが、その他の者は番組の一部しか見ていない場合も番組が消去されてしまうといった問題が生じる。
【０００６】
本発明は、このような実情を鑑みてなされたものであり、記録媒体に１日分のテレビジョン放送を記録することができる記録再生装置で、テレビジョンの映像を見ていたか否かを検知することにより、その操作性の向上を実現した記録再生装置を提供することを目的とする。
【０００７】
【課題を解決するための手段】
本発明に係る記録再生装置は、ランダムアクセスが可能な記録媒体と、ビデオ信号を受信する受信手段と、上記受信手段により受信しているビデオ信号を上記記録媒体に記録する記録手段と、上記記録媒体に記録されたビデオ信号を再生する再生手段と、上記受信手段により受信しているビデオ信号に基づき映像を表示装置に表示させる表示制御手段と、上記表示装置が表示している映像を見ていた時間毎の人数を検知するセンサ手段と、情報内容の所定の単位の放送が終了したときに、上記センサ手段により検知された情報に基づき視聴者がその情報内容の所定の単位を見ていたか否かを判断し、視聴者がその情報内容の所定の単位を見ていたと判断した場合には、その情報内容の所定の単位に関するビデオ信号を上記記録媒体から消去する制御手段とを備える。
また、本発明に係る記録再生方法は、放送されているビデオ信号を受信し、受信しているビデオ信号をランダムアクセスが可能な記録媒体に記録するとともに、受信しているビデオ信号に基づく映像を表示装置に表示し、上記表示装置が表示している映像を見ていた時間毎の人数を検知するセンサを用いて、時間毎に視聴者を検知し、情報内容の所定の単位の放送が終了したときに、センサにより検知された情報を用いて視聴者がその情報内容の所定の単位を見ていたか否かを判断し、視聴者がその情報内容の所定の単位を見ていたと判断した場合には、その情報内容の所定の単位に関するビデオ信号を上記記録媒体から消去することを特徴とする。
【０００８】
本発明に係る記録再生装置及び方法は、放送されているビデオ信号を記録媒体に常に記録し、情報内容の所定の単位（例えば、番組）の放送が終了したときに、視聴者がその情報内容の所定の単位を見ていたか否かを判断し、視聴者がその情報内容の所定の単位を見ていたと判断した場合には、その情報内容の所定の単位に関するビデオ信号を記録媒体から消去する。
【０００９】
【発明の実施の形態】
以下、本発明の実施の形態について、図面を参照しながら説明する。
【００１０】
本発明に係る記録再生装置は、記録媒体としてハードディスクを用いて、放送局からのデジタルのテレビジョン放送を受信しその映像信号等を記録する。また、この記録再生装置は、放送局から放送される映像信号等を１日分すべて記録ができ、希望の番組を後から選択して見ることができるものである。また、テレビジョンの放送をリアルタイムで見る場合は、映像をモニタに表示すると供にハードディスクに記録することができるものである。
【００１１】
記録再生装置１は、図１に示すように、チューナ部２と、映像デコード部３と、記録部４と、ハードディスク５と、再生部６と、スイッチ部７と、モニタ８と、マイクロコンピュータ９と、ＯＳＤ（Ｏｎ  Ｓｃｒｅｅｎ  Ｄｉｓｐｌａｙ）部１０と、赤外線リモコン受光部１１とを備え、この記録再生装置１の操作をリモートコントローラ１２により行う。
【００１２】
また、記録再生装置１は、モニタ８を見ている人物の人数を検出する人物センサ１３を備える。
【００１３】
チューナ部２は、アンテナで受信したテレビジョン放送のチャンネルの選択をする。チューナ部２が受信するテレビジョン放送は、本実施の形態においてアンテナより空間波を受信するものを挙げているが、例えば、光データ通信による有線通信によるものであっても良い。
【００１４】
映像デコード部３は、チューナ部２によりチャンネルの選択をした信号から映像信号，音声信号，その他所定のデータ等（以下、合わせて映像信号とする。）の復調をする。この映像デコード部３は、放送局から放送される映像信号が上述のようにデジタル放送であるためデジタル処理を行う。なお、この映像デコード部３に、例えば、アナログデジタル変換器等を備えることによりアナログ放送であっても本装置を適用することができる。
【００１５】
記録部４は、映像デコード部３により復調をされた映像信号をハードディスク５に記録する。
【００１６】
ハードディスク５は、映像信号を放送局で放送された情報内容の所定の単位であるいわゆるテレビ番組（本明細書において、単に番組と称する。）毎に記録する。
【００１７】
再生部６は、ハードディスク５に記録された番組を再生し、映像信号をモニタ８に供給する。
【００１８】
スイッチ部７は、モニタ８に供給する映像信号を、映像デコード部３からの映像信号と再生部６からの映像信号のいずれかに切り換える。スイッチ部７は、放送された番組をリアルタイムで見る場合において、映像デコード部３からの映像信号をモニタ８に供給する。また、スイッチ部７は、ハードディスク５に記録された番組を見る場合において、再生部６からの映像信号をモニタ８に供給する。モニタ８は、映像デコード部３により復調した映像信号、および、ハードディスク５に記録した映像信号を、画面に表示し並びにスピーカから再生する。
【００１９】
マイクロコンピュータ（以下、マイコンと称する。）９は、記録部４がハードディスク５に記録する番組、再生部６がハードディスク５から再生する番組、及び、ハードディスク５に記録されている番組の管理をする。また、マイコン９は、モニタ８に供給する指示画面の表示内容の情報をＯＳＤ部１０に供給する。ＯＳＤ部１０は、この情報をモニタ８に供給することにより、モニタ８に所定の指示画面を表示させる。
【００２０】
また、マイコン９には、記録再生装置１を操作して番組を視聴する者（以下、視聴者と称する）が操作するリモートコントローラ（以下、リモコンと称する。）１２からの赤外線信号が赤外線リモコン受光部１１を介して入力される。
【００２１】
ここで、ハードディスク５は、図２に示すように、記録領域がリングバッファ領域と保存用領域とに分割されている。リングバッファー領域は、１日分の番組をすべて記録できる記録領域である。保存用領域は、リングバッファ領域に記録した１日分の番組とは別に視聴者が保存を希望する番組を記録しておく領域である。これらの記録領域に記録されている番組は、マイコン９により管理されている。また、ハードディスク５に記録された番組には、それぞれ番組消去フラグがついており、この番組消去フラグはマイコン９により管理されている。この番組消去フラグは、保存用領域に記録してある番組のうち消去する番組を管理するフラグである。
【００２２】
また、このハードディスク５は、保存領域に新規に番組を保存する場合、番組消去フラグが立っていて記録日時が一番古い番組が記録されている領域に記録するようにマイコン９により管理されている。つまり、記録した番組の時系列がマイコン９により管理され、新しい番組が記録されると古い番組が押し出される形で消去される。したがって、視聴者が記録した番組の消去を希望し、そのため記録した番組に番組消去フラグが立っているときでも、先に、番組消去フラグが立っている古い番組が残っていればすぐにはその番組は消去されない。
【００２３】
人物センサ１３は、モニタ８を見ていた視聴者の人数を検出する。例えば、ＣＣＤ（Ｃｈａｒｇｅ  Ｃｏｕｐｌｅｄ  Ｄｅｖｉｃｅ）を用いたカメラ装置により撮像した画像をデジタル処理をすることによりこの画像の中から人の目を検出し視聴者の人数を検知する。この人物センサ１３は、モニタ８から番組の映像を出力している間に動作しており、番組の途中で人数が増減した場合はモニタ８を見ている人数とその時間をカウントする。
【００２４】
この人物センサ１３は、ＣＣＤによる画像処理に限らず、例えば、赤外線を用いて視聴者の人体の数を検出するものであってもよいし、また、人の顔により反射される紫外線により視聴者の数を検出するものであってもよい。
【００２５】
つぎに、記録再生装置１のハードディスク５に記録した番組の管理方法、放送された番組をリアルタイムで見る方法、ハードディスク５に記録した番組を見る方法について、この記録再生装置１の処理内容をフローチャートに示し説明する。また、このフローチャートと併せてモニタ８に表示される指示画面を示し説明する。
【００２６】
記録再生装置１のハードディスク５に記録した番組の管理方法について説明する。
【００２７】
まず、ハードディスク５に保存されている番組は、番組のリストとしてマイコン９に管理されている。これらの番組は、保存リストと消去リストに分けてマイコン９に管理される。
【００２８】
保存リストは、視聴者が保存を希望した番組のリストであり、ハードディスク５の保存用領域に保存される。この保存リストには、記録日時、番組名、保存期間、再生回数の４項目がリストアップされている。
【００２９】
また、消去リストは、視聴者が保存を希望しない番組のリストであり、復活可能リストと完全消去済リストとに分けられている。復活可能リストとは、視聴者が保存を希望しないとしたため消去フラグが立っているが、まだその記録領域に別の番組が記録されておらず、番組がハードディスク５に残っているもののリストである。つまり、ハードディスク５に記録されている番組は、番組消去フラグが立っていて記録日時が一番古い番組が記録されている領域に記録するようにマイコン９により管理されているため、消去フラグが立っていてもまだ番組が残っている場合があるからである。完全消去済リストとは、すでに記録していた領域に別の番組を記録してしまったため、完全に消去した番組のリストである。
【００３０】
この復活可能リストは、記録日時、番組名、消去日時、再生回数の４項目がリストアップされている。また、完全消去済リストは、消去した日が近いものから所定数の番組、例えば１０番組がリストアップされる。この完全消去済リストは、記録日時、番組名、消去日時、完全消去日時、再生回数の５項目がリストアップされている。
【００３１】
なお、この消去リストにリストアップされる番組は、ハードディスク５の保存用領域に記録されている。
【００３２】
図３及び図４は、上述した消去リストおよび保存リストの管理方法を示したフローチャートである。
【００３３】
記録再生装置１の視聴者がリモコン１２を操作することにより、ハードディスク５に記録した番組の管理を開始する。
【００３４】
図３に示すステップＳ１０１において、記録再生装置１は、視聴者がリモコン１２のリスト表示ボタンを押すと、ステップＳ１０２において、図５に示すリスト表示画面に表示する。このリスト表示画面は、消去リストまた保存リストのいずれかのリストを選択する画面であり、視聴者は、リモコン１２を利用してカーソルを上下に動かし『消去リスト』又は『保存リスト』を選択する。
【００３５】
ステップＳ１０３において、ステップＳ１０２で視聴者が選択したリストの判断をする。消去リストが選択された場合はステップＳ１０４に進み、消去リストが選択されなかった場合は後述する図４のステップＳ１２１からの処理に進む。ステップＳ１０４において、図６に示す消去リストの復活可能リストと完全消去済リストの選択画面を表示する。視聴者は、リモコン１２を利用し『復活可能リスト』又は『完全消去済リスト』を選択する。
【００３６】
ステップＳ１０５において、視聴者が選択した消去リストの判断をする。復活可能リストが選択された場合はステップＳ１０６に進み、復活可能リストが選択されなかった場合はステップＳ１１２に進む。
【００３７】
ステップＳ１０６において、復活可能リストを表示する。この復活可能リストは、図７に示すように記録日時、番組名、消去日時、再生回数の４項目がリストアップされている。視聴者は、このリスト表示に基づきこれらの番組を復活（保存）するか或いは完全に消去するかどうかを選択できる。この場合、視聴者は、復活可能リストが表示されている画面でカーソルを上下に動かし番組を選択する。番組を選択した後、図８に示すように、『番組の復活（保存）』或いは『完全消去』の選択を行う。
【００３８】
ステップＳ１０７において、番組を復活（保存）するか完全消去するかの判断をする。選択した番組を復活（保存）する場合はステップＳ１０８に進み、選択した番組を完全消去する場合はステップＳ１１０に進む。
【００３９】
ステップＳ１０８において、図９（ａ）に示す保存確認画面を表示し、ステップＳ１０９において、番組の消去フラグをさげて処理を終了する。また、ステップＳ１１０において、図９（ｂ）に示す完全消去確認画面を表示し、ステップＳ１１１において、番組を消去し処理を終了する。
【００４０】
ステップＳ１０６で完全消去リストを選択した場合は、ステップＳ１１２において、図１０に示す完全消去リストを表示する。このとき、完全に消去された番組を時間的に近い順に１０個の番組を表示する。この完全消去リストは、記録日時、番組名、消去日時、完全消去日時、再生回数の５項目がリストアップされている。ステップＳ１１２で完全消去リストを表示したのちに処理を終了する。
【００４１】
このように、記録再生装置１は、上述したステップＳ１０１からステップＳ１１２までの処理により消去リストの管理をすることができる。
【００４２】
一方、ステップＳ１０２において、消去リストが選択されなかった場合、つまり保存リストが選択された場合は、図４に示すステップＳ１２１から処理が進む。
【００４３】
ステップＳ１２１において、図１１に示す保存リストを表示する。この保存リストは、記録日時、番組名、保存期間、再生回数の４項目がリストアップされている。
【００４４】
ステップＳ１２２において、視聴者は、リモコン１２を利用し保存リストの番組を消去するか保存期間を修正するかを選択することができる。この場合、視聴者は、保存リストが表示されている画面でカーソルを上下に動かし番組を選択する。番組を選択した後、視聴者は図１２に示すように、『番組の消去』或いは『保存期間の修正』を選択する。
【００４５】
ステップＳ１２３において、番組を消去するか修正をするかの判断をする。選択した番組を消去する場合はステップＳ１２４に進み、選択した番組の保存期間を修正する場合はステップＳ１２７に進む。
【００４６】
ステップＳ１２４において、番組を消去する場合は、図１３に示すように、再度消去の確認を行う。ここで、消去をしないと選択した場合はステップＳ１２３に戻り、消去をすると選択した場合はステップＳ１２５に進む。
【００４７】
ステップＳ１２５において、図１４に示す消去確認画面を表示し、ステップＳ１２６において、番組の消去フラグを上げて処理を終了する。
【００４８】
また、ステップＳ１２３で番組を修正すると選択した場合は、ステップＳ１２７において、図１５に示すように、再度保存期間を修正をするか否かの確認をする。ここで、修正をしないと選択した場合はステップＳ１２３に戻り、修正をすると選択した場合はステップＳ１２８に進む。
【００４９】
ステップＳ１２８において、図１６に示す保存年月日入力画面が表示される。視聴者は、リモコン１２のテンキーででこの画面の指示に基づき保存年月日を入力する。
【００５０】
ステップＳ１２９において、保存年月日が入力されたか否かを判断する。保存年月日が入力されていれば、ステップＳ１３０において、この年月日のデータを保存する番組のリストに加え処理を終了する。
【００５１】
また、ステップＳ１２９において、保存年月日が所定時間入力されない場合は、変更前の保存年月日のままで処理を終了する。
【００５２】
このように、記録再生装置１は、上述したステップＳ１２１からステップＳ１３１までの処理により保存リストの管理をすることができる。
【００５３】
なお、上述したステップＳ１０１からステップＳ１３１までの操作は、操作途中で前の処理にもどることができるものである。この場合は、例えば、リモコン１２の取消ボタン『＊』を押すことにより中止するようにすれば良い。また、視聴者がリスト等の選択処理をするステップにおいては処理を途中で中断することもできる。
【００５４】
次に、視聴者が放送された番組をリアルタイムで見る場合の記録再生装置１の処理内容について説明する。この記録再生装置１は、リアルタイムで番組を見ている場合に、番組終了後に自動的に番組を消去あるいは保存をすることができるである。
【００５５】
図１７は、リアルタイムで番組を見る場合の記録再生装置１の処理内容を説明するフローチャートである。
【００５６】
リアルタイムで番組を見る場合は、視聴者がリモコン１２等で電源スイッチを入れることにより処理が開始される。
【００５７】
ステップＳ２０１において、記録再生装置１は、映像デコード部３で復調した映像信号をそのままモニタ８に供給し、ステップＳ２０２において、映像等を出力する。この際、モニタ８から出力されている映像の映像信号は、同時にハードディスク５のリングバッファ領域に記録される。また、番組が始まると図１８に示すように人物センサ１３の動作を開始し、視聴者の人数をカウントする。なお、この人物センサ１３は、映像がモニタ８から出力されている間すべて動作しており、この間の人数を時間毎にカウントしている。
【００５８】
番組が終了すると、ステップＳ２０３において、図１９に示す『終』を表示し、
この番組を見ていた時間毎の人数の情報をマイコン９に供給する。なお、この情報は、番組をモニタ８から出力している間、常時マイコン９に供給するものであってもよい。この場合、人物センサ１３は人物の人数を検出するのみで、人数と時間との関係をマイコン９により計算するものであってもよい。
【００５９】
ステップＳ２０４において、視聴者が番組を見ていたかか否か判断することができるかを確認する。これは、次のステップＳ２０５で、人物センサ１３からの番組を見ていた時間毎の人数の情報に基づき視聴者が番組を見ていたかか否かを判断し、この番組を自動的に消去又は保存する処理を行うため、その処理の前提としての確認である。
【００６０】
例えば、番組を見ていた視聴者が１人の場合において、その番組を半分以下しか見ていないときには自動的に保存し、また、番組すべてを見ていたときには自動的に消去するものとする。このときは、番組のすべては見ていないが半分以上みているときに、番組を見ていたのか見ていないのかが判断がつかない。
【００６１】
また、例えば、番組を見ていた視聴者が複数の場合において、全員がその番組を半分以下しか見ていないときに自動的に保存し、また、全員が番組すべてを見ていたときに自動的に消去するものとする。このときは、人数の増減があったときや一部の者はすべて見たがその他の者は半分以下しか見ていないときは、番組を見ていたのか見ていないのか判断がつかない。
【００６２】
上述のように判断がつかないと確認した場合はステップＳ２０４からステップＳ２１０に進み、判断がつくと確認した場合はステップＳ２０４からステップＳ２０５に進む。
【００６３】
ステップＳ２０５において、人物センサ１３からの番組を見ていた時間毎の人数の情報に基づき視聴者が番組を見ていたかか否かを判断する。上述で説明した様に視聴者が番組を見ていた場合はステップＳ２０６に進み番組の消去処理を行う。また視聴者が番組を見ていない場合はステップＳ２０８に進み番組の保存処理を行う。
【００６４】
ステップＳ２０６において、図２０に示す消去確認画面を表示し、ステップＳ２０７において消去フラグを立て処理を終了する。また、ステップＳ２０８において、図２１に示す保存確認画面を表示し、ステップＳ２０９において、番組の消去フラグを下げて番組をそのままリングバッファ領域に残しておき処理を終了する。
【００６５】
また、ステップＳ２０４で人物センサ１３が番組を出力している間に見ていたことを判断できないと確認した場合は、ステップＳ２１０において、図２２に示す番組消去確認画面を表示する。視聴者は、リモコン１２を利用しステップＳ２０２で出力した番組を消去するか保存するかを選択する。消去する場合は『ＹＥＳ』ボタンを押し、保存する場合は『ＮＯ』ボタンを押す。
【００６６】
ステップＳ２１１において、番組消去確認画面に基づいて視聴者が押したリモコン１２のＹＥＳ又はＮＯのボタンを判断する。ＹＥＳのボタンを押した場合は、ステップＳ２１２に進み、ＮＯのボタンを押した場合は、ステップＳ２１４に進む。
【００６７】
ステップＳ２１２において、図２３に示す消去確認画面を表示し、ステップＳ２１３において消去フラグを立て処理を終了する。
【００６８】
また、ステップＳ２１０でＮＯのボタンを押した場合は、ステップＳ２１４において、図２４に示す保存確認画面を表示し、ステップＳ２１５において、番組の消去フラグを下げて番組をそのままリングバッファ領域に残しておき処理を終了する。
【００６９】
このように、記録再生装置１は、上述したステップＳ２０１からステップＳ１２１５までの処理によりリアルタイムでの再生をすることができ、また、人物センサ１３により番組を見ていた人数を検出することにより自動的に保存又は消去ができる。
【００７０】
なお、番組をすべて見たときで出力された番組の保存を希望する場合は、例えば、リモコン１２に保存ボタンを設け、このボタンを押すことにより強制的に番組を保存するようにすることができる。この場合は、上述したステップＳ２０３から終了するまでの処理は、ボタンを押したときに強制的に終了するものとする。
【００７１】
次に、視聴者がハードディスク５のリングバッファ領域に記録した番組を見る場合の記録再生装置１の処理内容について説明する。
【００７２】
図２５、図２６及び図２７は、ハードディスク５のリングバッファ領域に記録した番組を見る場合の記録再生装置１の処理内容を説明するフローチャートである。
【００７３】
記録再生装置１の視聴者がリモコン１２を操作することによりハードディスク５のリングバッファ領域に記録した番組の再生が開始する。ここで、ハードディスク５のリングバッファ領域には、記録再生装置１の装置機能である１日分の番組をすべて保存する機能により未再生の番組が保存してある。
【００７４】
ステップＳ３０１において、視聴者によりハードディスク５のリングバッファ領域に記録された番組の中から再生をする番組が選択される。
【００７５】
ステップＳ３０２において、ハードディスク５の保存用領域に視聴者が選択した番組を保存することができるだけの容量があるか或いは容量がないかを判断する。容量がある場合はステップＳ３０３に処理が進み、容量が足りない場合は図２７に示すステップＳ３２１から処理が進み不足分の容量を確保する。
【００７６】
ステップＳ３０３において、視聴者が選択した番組を再生する。また、番組が始まると人物センサ１３の動作を開始し、視聴者の人数をカウントする。なお、この人物センサ１３は、番組がモニタ８から出力されている間すべて動作しており、この間の人数を時間毎にカウントしている。
【００７７】
番組が終了すると、ステップＳ３０４において、図２８に示す『終』を表示し、この番組を見ていた時間毎の人数の情報をマイコン９に供給する。なお、この情報は、番組をモニタ８から出力している間、常時マイコン９に供給するものであってもよい。この場合、人物センサ１３は人物の人数を検出するのみで、人数と時間との関係をマイコン９により計算するものであってもよい。
【００７８】
ステップＳ３０５において、視聴者が番組を見ていたかか否か判断することができるかを確認する。これは、次のステップＳ３０６で、人物センサ１３からの番組を見ていた時間毎の人数の情報に基づき視聴者が番組を見ていたかか否かを判断し、この番組を自動的に消去又は保存する処理を行うため、その処理の前提としての確認である。
【００７９】
例えば、番組を見ていた視聴者が１人の場合において、その番組を半分以下しか見ていないときに自動的に保存し、また、番組すべてを見ていたときには自動的に消去するものとする。このときは、番組のすべては見ていないが半分以上みているときに、番組を見ていたのか見ていないのかが判断がつかない。
【００８０】
また、例えば、番組を見ていた視聴者が複数の場合において、全員がその番組を半分以下しか見ていないときに自動的に保存し、また、全員が番組すべてを見ていたときに自動的に消去するものとする。このときは、人数の増減があったときや一部の者はすべて見たがその他の者は半分以下しか見ていないときは、番組を見ていたのか見ていないのか判断がつかない。
【００８１】
上述のように判断がつかないと確認した場合はステップＳ３０５からステップＳ３０９に進み、判断がつくと確認した場合はステップＳ３０５からステップＳ３０６に進む。
【００８２】
ステップＳ３０６において、人物センサ１３からの番組を見ていた時間毎の人数の情報に基づき視聴者が番組を見ていたかか否かを判断する。上述で説明した様に視聴者が番組を見ていた場合はステップＳ３０７に進み、ステップＳ３０７において図２９に示す消去確認画面を表示し消去フラグを立て処理を終了する。ステップＳ３０６で番組を見ていなかったと判断した場合は、ステップＳ３０８において、図３０に示す保存年月日入力画面が表示される。視聴者は、リモコン１２のテンキーでこの画面の指示に基づき保存年月日を入力する。ステップＳ３０６からステップＳ３１４に進む。
【００８３】
また、ステップＳ３０５で人物センサ１３が番組を出力している間に見ていたことを判断できないと確認した場合は、ステップＳ３０９において、図３１に示す番組消去確認画面を表示する。視聴者は、リモコン１２を利用し出力した番組を消去するか保存するかを選択する。消去する場合は『ＹＥＳ』ボタンを押し、保存する場合は『ＮＯ』ボタンを押す。
【００８４】
ステップＳ３１０において、ステップＳ３０９で表示した番組消去確認画面に基づいて視聴者がリモコン１２のＹＥＳ又はＮＯのボタンのいずれを押したかを判断する。視聴者がＹＥＳのボタンを押した場合はステップＳ３１１に進み、ＮＯのボタンを押した場合はステップＳ３１３に進む。
【００８５】
ステップＳ３１１において、図３２に示す消去確認画面を表示し、ステップＳ３１２において、番組の消去フラグを上げて処理を終了する。
【００８６】
また、ステップＳ３１０で番組を保存すると判断した場合は、ステップＳ３１３において、図３３に示す保存年月日入力画面が表示される。視聴者は、リモコン１２のテンキーでこの画面の指示に基づき保存年月日を入力する。
【００８７】
ステップＳ３１４において、視聴者により保存年月日が入力されたか否かを判断する。保存年月日が入力されていればステップＳ３１５に進み、保存年月日が所定時間入力されない場合はステップＳ３１８に進む。。
【００８８】
ステップＳ３１５において図３４に示す確認表示をし、ステップＳ３１６においてこの年月日のデータを保存する番組のリストに加え、ステップＳ３１７において番組消去フラグを下げ処理を終了する。
【００８９】
また、ステップＳ３１４で保存年月日が所定時間入力されない場合は、図３５に示す表示をし自動的に１日後の保存年月日をリストに加え処理を終了する。
【００９０】
一方、ステップＳ３０２で番組を保存できるだけの容量がハードディスク５の保存用領域にないと判断した場合は、図２７に示すステップＳ３２１に進む。
【００９１】
ステップＳ３２１において、図３６に示す容量不足表示をする。
【００９２】
ステップＳ３２２において、図３７に示す保存リストを表示する。
【００９３】
ステップＳ３２３において、保存リストに示されている番組の中から消去できるものがあれば視聴者がリモコン１２の『ＹＥＳ』のボタンを押し、処理がステップＳ３２４に進む。また、視聴者がこの保存リストのなかには消去できるものがないと判断すればリモコン１２の『ＮＯ』のボタンを押し、処理が図２５に示すスタートから再度開始される。
【００９４】
ステップＳ３２４において、視聴者は、図３８に示す保存リストの表示に基づき画面でカーソルを上下に動かし番組を選択する。そして、このステップＳ３２４において選択された番組に番組消去フラグを立てる。
【００９５】
ステップＳ３２５において、視聴者が選択した番組を消去することにより、再生する番組を保存できる容量が確保されたか否かを判断する。容量が確保された場合は、図２５に示すステップＳ３０３に進み番組を再生する。容量が確保されない場合はステップＳ３２６に進む。
【００９６】
ステップＳ３２６において、図３９に示す容量不足表示をする。この表示の後ステップＳ３２４に進み、視聴者が消去する番組を再度選択し直す。
【００９７】
このように、記録再生装置１は、上述したステップＳ３０１からステップＳ３２６までの処理により保存リストの管理をすることができ、また、人物センサ１３により番組を見ていた人数を検出することにより自動的に保存又は消去ができる。
【００９８】
以上のように、記録再生装置１では、視聴者がハードディスク５に記録されている番組をモニタ８に表示しているときに、人物センサ１３がこの番組を視聴者が見ているかどうかを検知する。番組の終了後、視聴者がこの番組を見ていない場合は自動的にハードディスク５に記録され、他の番組が上書記録されず保存される。このことにより、記録再生装置１では、ハードディスクで１日分のテレビジョン放送を記録することができ、その操作性の向上を実現できる。
【００９９】
記録再生装置１では、番組が終了した後に番組消去確認画面を表示するため、再生はしたが実際には見ていない番組が自動的に消去されない。また、消去する番組には番組消去フラグを立てて管理するため、一度消去の処理をした後でも消去の取消をすることができる。
【０１００】
また、記録再生装置１は、ハードディスク５に記録した番組の管理をすることができるため、消去リスト又保存リストをいつでも見ることができる。
【０１０１】
なお、本実施の形態では、記録再生装置１の記録媒体としてハードディスクを用いるものを例に挙げて説明したが、この記録媒体は光ディスク等を用いてもよい。例えば、数ギガバイト単位の記録容量を有する光ディスク（例えば、記録再生が可能なＤＶＤ：デジタルビデオディスク）等を用いることもできる。
【０１０２】
本発明に係る記録再生装置及び方法では、放送されているビデオ信号を記録媒体に常に記録し、情報内容の所定の単位（例えば、番組）の放送が終了したときに、視聴者がその情報内容の所定の単位を見ていたか否かを判断し、視聴者がその情報内容の所定の単位を見ていたと判断した場合には、その情報内容の所定の単位に関するビデオ信号を記録媒体から消去する。
このことにより本発明に係る記録再生装置及び方法では、記録媒体に例えば一日分の放送をそのまま記録することができ、視聴者がリアルタイムで番組を見ていたときには、その番組を記録しないようにする。
【図面の簡単な説明】
【図１】本発明に係る記録再生装置のブロック構成図である。
【図２】本発明に係る記録再生装置のハードディスクに記録されている番組を説明する説明図である。
【図３】本発明に係る記録再生装置の消去リストおよび保存リストの管理方法を示したフローチャートである。
【図４】本発明に係る記録再生装置の消去リストおよび保存リストの管理方法を示したフローチャートである。
【図５】本発明に係る記録再生装置のＯＳＤ部から出力される表示画面を示す図である。
【図６】本発明に係る記録再生装置のＯＳＤ部から出力される表示画面を示す図である。
【図７】本発明に係る記録再生装置のＯＳＤ部から出力される表示画面を示す図である。
【図８】本発明に係る記録再生装置のＯＳＤ部から出力される表示画面を示す図である。
【図９】本発明に係る記録再生装置のＯＳＤ部から出力される表示画面を示す図である。
【図１０】本発明に係る記録再生装置のＯＳＤ部から出力される表示画面を示す図である。
【図１１】本発明に係る記録再生装置のＯＳＤ部から出力される表示画面を示す図である。
【図１２】本発明に係る記録再生装置のＯＳＤ部から出力される表示画面を示す図である。
【図１３】本発明に係る記録再生装置のＯＳＤ部から出力される表示画面を示す図である。
【図１４】本発明に係る記録再生装置のＯＳＤ部から出力される表示画面を示す図である。
【図１５】本発明に係る記録再生装置のＯＳＤ部から出力される表示画面を示す図である。
【図１６】本発明に係る記録再生装置のＯＳＤ部から出力される表示画面を示す図である。
【図１７】本発明に係る記録再生装置のリアルタイムで番組を見る場合の処理内容を説明するフローチャートである。
【図１８】本発明に係る記録再生装置の人物センサを説明する説明図である。
【図１９】本発明に係る記録再生装置のＯＳＤ部から出力される表示画面を示す図である。
【図２０】本発明に係る記録再生装置のＯＳＤ部から出力される表示画面を示す図である。
【図２１】本発明に係る記録再生装置のＯＳＤ部から出力される表示画面を示す図である。
【図２２】本発明に係る記録再生装置のＯＳＤ部から出力される表示画面を示す図である。
【図２３】本発明に係る記録再生装置のＯＳＤ部から出力される表示画面を示す図である。
【図２４】本発明に係る記録再生装置のＯＳＤ部から出力される表示画面を示す図である。
【図２５】本発明に係る記録再生装置のハードディスクのリングバッファ領域に記録した番組を見る場合の処理内容を説明するフローチャートである。
【図２６】本発明に係る記録再生装置のハードディスクのリングバッファ領域に記録した番組を見る場合の処理内容を説明するフローチャートである。
【図２７】本発明に係る記録再生装置のハードディスクのリングバッファ領域に記録した番組を見る場合の処理内容を説明するフローチャートである。
【図２８】本発明に係る記録再生装置のＯＳＤ部から出力される表示画面を示す図である。
【図２９】本発明に係る記録再生装置のＯＳＤ部から出力される表示画面を示す図である。
【図３０】本発明に係る記録再生装置のＯＳＤ部から出力される表示画面を示す図である。
【図３１】本発明に係る記録再生装置のＯＳＤ部から出力される表示画面を示す図である。
【図３２】本発明に係る記録再生装置のＯＳＤ部から出力される表示画面を示す図である。
【図３３】本発明に係る記録再生装置のＯＳＤ部から出力される表示画面を示す図である。
【図３４】本発明に係る記録再生装置のＯＳＤ部から出力される表示画面を示す図である。
【図３５】本発明に係る記録再生装置のＯＳＤ部から出力される表示画面を示す図である。
【図３６】本発明に係る記録再生装置のＯＳＤ部から出力される表示画面を示す図である。
【図３７】本発明に係る記録再生装置のＯＳＤ部から出力される表示画面を示す図である。
【図３８】本発明に係る記録再生装置のＯＳＤ部から出力される表示画面を示す図である。
【図３９】本発明に係る記録再生装置のＯＳＤ部から出力される表示画面を示す図である。
【符号の説明】
１  記録再生装置、２  チューナ部、３  映像デコード部、４  記録部、５  ハードディスク、６  再生部、７  スイッチ部、８  モニタ、９  マイコン、１０  ＯＳＤ部、１１  赤外線リモコン受光部、１２  リモコン、１３  人物センサ
【図１】
0003608320.tif 000002
【図２】
0003608320.tif 000003
【図３】
0003608320.tif 000004
【図４】
0003608320.tif 000005
【図５】
0003608320.tif 000006
【図６】
0003608320.tif 000007
【図７】
0003608320.tif 000008
【図８】
0003608320.tif 000009
【図９】
0003608320.tif 000010
【図１０】
0003608320.tif 000011
【図１１】
0003608320.tif 000012
【図１２】
0003608320.tif 000013
【図１３】
0003608320.tif 000014
【図１４】
0003608320.tif 000015
【図１５】
0003608320.tif 000016
【図１６】
0003608320.tif 000017
【図１７】
0003608320.tif 000018
【図１８】
0003608320.tif 000019
【図１９】
0003608320.tif 000020
【図２０】
0003608320.tif 000021
【図２１】
0003608320.tif 000022
【図２２】
0003608320.tif 000023
【図２３】
0003608320.tif 000024
【図２４】
0003608320.tif 000025
【図２５】
0003608320.tif 000026
【図２６】
0003608320.tif 000027
【図２７】
0003608320.tif 000028
【図２８】
0003608320.tif 000029
【図２９】
0003608320.tif 000030
【図３０】
0003608320.tif 000031
【図３１】
0003608320.tif 000032
【図３２】
0003608320.tif 000033
【図３３】
0003608320.tif 000034
【図３４】
0003608320.tif 000035
【図３５】
0003608320.tif 000036
【図３６】
0003608320.tif 000037
【図３７】
0003608320.tif 000038
【図３８】
0003608320.tif 000039
【図３９】
0003608320.tif 000040